(57)【要約】【課題】  掲示物を簡単に掲示して、広告や宣伝、お知らせなどの情報を顧客に容易に知らせることができる電子機器を提供する。【解決手段】  操作部である入力表示ユニット２が設けられた機器ケース１と、この機器ケース１にスライド可能に設けられ、入力表示ユニット２の操作側と反対側に位置する機器ケース１の背面１ａから出没可能に突出して掲示物１４を掲示するためのトレイ部材１５と、を備えていることにより、掲示物１４を簡単に掲示することができ、これにより広告や宣伝、お知らせなどの情報を顧客に容易にかつ良好に知らせることができる。【選択図】        図４
2019016815.tif 000002
【特許請求の範囲】
【請求項１】
操作部が設けられた機器本体と、
前記機器本体にスライド可能に設けられ、前記操作部の操作側と反対側に位置する前記機器本体の背面から出没可能に突出して掲示物を掲示するためのトレイ部材と、
前記機器本体の背面側に設けられた表示部と、を備え、
前記トレイ部材は、前記機器本体の幅方向において、前記表示部を避けた位置に設けられている、ことを特徴とする電子機器。
【請求項２】
請求項１に記載の電子機器において、
前記操作部は入力表示部であり、
前記トレイ部材は、前記機器本体の幅方向において、前記入力表示部よりも短く設けられている、ことを特徴とする電子機器。
【請求項３】
請求項１または請求項２に記載の電子機器において、
前記操作部は、前記機器本体上にヒンジ機構によって上下方向に回転可能に取り付けられている、ことを特徴とする電子機器。
【請求項４】
請求項１〜請求項３のいずれかに記載の電子機器において、
前記トレイ部材は、前記機器本体の下面に配置される搭載部と、前記機器本体の前記背面との間に所定の開口角が形成されるように設けられた押え部とを備え、前記搭載部が前記機器本体の前記下面に設けられた複数のガイド部材によってスライド可能に取り付けられている、ことを特徴とする電子機器。
【請求項５】
請求項４に記載の電子機器において、
前記トレイ部材の前記搭載部には、前記複数のガイド部材によってスライド可能にガイドされる複数のガイド孔が、前記機器本体の前後方向に沿って設けられている、ことを特徴とする電子機器。
【請求項６】
請求項５に記載の電子機器において、
前記複数のガイド孔それぞれは、その下面における孔縁にガイド凹部がスライド方向に沿って設けられ、
前記複数のガイド部材それぞれは、前記ガイド凹部内にスライド可能に配置される頭部と、前記ガイド孔を通して前記機器本体の下面に固定される軸部と、を備えている、ことを特徴とする電子機器。
【請求項７】
請求項６に記載の電子機器において、
前記複数のガイド孔それぞれの所定箇所には、前記ガイド部材の前記頭部が挿脱可能に挿通する着脱孔が上下に貫通して設けられている、ことを特徴とする電子機器。
【請求項８】
請求項７に記載の電子機器において、
前記複数のガイド孔それぞれには、前記ガイド部材が前記着脱孔に接近する際に、前記ガイド部材をスライド可能な状態で弾力的に挟む弾性挟持部が設けられている、ことを特徴とする電子機器。
【請求項９】
請求項７または請求項８に記載の電子機器において、
前記複数のガイド孔それぞれには、前記ガイド部材が前記着脱孔に到達する際に、前記トレイ部材にクリック感を付与するクリック部が設けられている、ことを特徴とする電子機器。
【発明の詳細な説明】
【技術分野】
【０００１】
この発明は、電子レジスタなどの電子機器に関する。
【背景技術】
【０００２】
例えば、電子レジスタにおいては、特許文献１に記載されているように、機器本体上に入力表示装置が上下方向に回転可能に取り付けられ、機器本体の背面に補助表示器が上下方向に移動可能でかつ水平方向に回転可能に設けられた構成のものが知られている。
【先行技術文献】
【特許文献】
【０００３】
【特許文献１】特開２０１３−１０１８５号公報
【０００４】
このような電子レジスタでは、オペレータが入力表示装置を入力操作することにより、売上データを入力し、この入力されたデータを入力表示装置に表示し、この表示されたデータをオペレータが視認すると共に、入力されたデータを補助表示器にも表示し、この表示された情報を顧客が視認できるようになっている。
【発明の概要】
【発明が解決しようとする課題】
【０００５】
しかしながら、このような電子レジスタでは、入力されたデータを補助表示器に表示して顧客が視認することができても、機器本体の背面に広告や宣伝、お知らせなどの情報が表示された掲示物を簡単に掲示して顧客に知らせることができないという問題がある。
【０００６】
この発明が解決しようとする課題は、掲示物を簡単に掲示して、広告や宣伝、お知らせなどの情報を顧客に容易に知らせることができる電子機器を提供することである。
【課題を解決するための手段】
【０００７】
この発明は、操作部が設けられた機器本体と、前記機器本体にスライド可能に設けられ、前記操作部の操作側と反対側に位置する前記機器本体の背面から出没可能に突出して掲示物を掲示するためのトレイ部材と、前記機器本体の背面側に設けられた表示部と、を備え、前記トレイ部材は、前記機器本体の幅方向において、前記表示部を避けた位置に設けられている、ことを特徴とする。
【発明の効果】
【０００８】
この発明によれば、掲示物を簡単に掲示することができるので、広告や宣伝、お知らせなどの情報を顧客に容易に知らせることができる。
【図面の簡単な説明】
【０００９】
【図１】この発明を電子レジスタに適用した一実施形態を示した斜視図である。
【図２】図１に示された電子レジスタにおいて、入力表示ユニットのユニットケースを後部上りに回転させた状態を示した斜視図である。
【図３】図２に示された電子レジスタの側面図である。
【図４】図１に示された電子レジスタにおいて、トレイ部材を機器ケースの背面側に引き出した状態を示した側面図である。
【図５】図４に示された電子レジスタの側面図である。
【図６】図１に示された電子レジスタを下側から見た斜視図である。
【図７】図６に示されたトレイ部材を示し、（ａ）はその下面側を示した斜視図、（ｂ）はその上面側を示した斜視図である。
【図８】（ａ）は図７（ａ）の要部を示した拡大図、（ｂ）は図６に示されたトレイ部材のＡ−Ａ矢視における要部を示した拡大断面図である。
【発明を実施するための形態】
【００１０】
以下、図１〜図８を参照して、この発明を電子レジスタに適用した一実施形態について説明する。
この電子レジスタは、図１に示すように、機器ケース１を備えている。この機器ケース１には、入力表示ユニット２、プリンタユニット３、および補助表示器４が搭載されている。
【００１１】
入力表示ユニット２は、図１に示すように、ユニットケース５に入力表示パネル６を設けたものであり、顧客が購入する商品の情報をオペレータが入力表示パネル６のタッチ操作によって入力するように構成されている。この場合、入力表示パネル６は、図示しないが、表示パネルの上面に透明なタッチパネルを配置した構成になっている。
【００１２】
この入力表示パネル６は、図１において、オペレータが入力表示パネル６の表示パネルに表示された情報を見ながら、入力表示パネル６のタッチパネルをタッチ操作して、顧客が購入する商品の情報を入力すると共に、その入力された情報が入力表示パネル６の表示パネルに表示されるように構成されている。ユニットケース５は、機器ケース１上に、その一部分（図１では右側の一部分）を除いて、前下がりに傾斜した状態で配置されている。
【００１３】
この場合、ユニットケース５は、図１〜図３に示すように、ヒンジ機構７によって機器ケース１上に回転可能に設けられている。このヒンジ機構７は、ユニットケース５の下面に半円状に突出して設けられた回転部８ａと、機器ケース１上に半円状に窪んで設けられて、ユニットケース５の回転部８ａが回転可能に配置される支持部８ｂと、を備えている。
【００１４】
これにより、ユニットケース５は、図１〜図３に示すように、その下面に設けられたヒンジ機構７の半円状の回転部８ａが、機器ケース１の上部に設けられたヒンジ機構７の半円状の支持部８ｂ内で回転移動することにより、図２に示すように、後部（図２では右側部）が競り上がって傾斜するように構成されている。
【００１５】
補助表示器４は、図１〜図３に示すように、表示ケース１０に情報を表示する表示部１１を設けたものであり、表示ケース１０が機器ケース１の背面に設けられた表示収納部１２内に出没可能に配置されている。すなわち、この補助表示器４は、表示ケース１０を機器ケース１の表示収納部１２内から引き上げて機器ケース１の上方に配置させ、この状態で表示ケース１０をほぼ水平方向に回転させることにより、表示部１１に表示された情報が顧客から見やすい方向を向くように構成されている。
【００１６】
一方、プリンタユニット３は、図１〜図３に示すように、プリンタ装置であり、機器ケース１の内部に設けられた記録紙収納部（図示せず）を開閉可能に覆うプリンタカバー１３を備えている。このプリンタカバー１３は、機器ケース１上に入力表示ユニット２の上面とほぼ同じ高さで、且つ前下がりに傾斜した状態で配置され、この状態で機器ケース１上の右側つまり入力表示ユニット２と反対側に向けて開閉するように構成されている。
【００１７】
この場合、プリンタユニット３は、図示しないが、記録紙収納部内に収納されたロール状に巻かれた記録紙に印刷情報を印刷するプリンタ部を備えている。このプリンタ部は、印刷情報を記録紙に印刷し、この印刷された記録紙をプリンタカバー１３の記録紙排出口１３ａから機器ケース１の外部に排出するように構成されている。
【００１８】
ところで、機器ケース１の下部には、図１〜図５に示すように、掲示物１４を掲示するためのトレイ部材１５が、入力表示パネル６の操作側と反対側に位置する機器ケース１の背面１ａから出没可能に突出して設けられている。すなわち、このトレイ部材１５は、機器ケース１の下面に配置される搭載部１６と、機器ケース１の背面１ａに接離可能に対応し、掲示物１４の下部を機器ケース１の背面１ａに押し付けて挟む押え部１７と、を備えている。
【００１９】
この場合、機器ケース１の背面１ａに配置される掲示物１４は、図４および図５に２点鎖線で示すように、広告や宣伝、またはお知らせなどの情報が印刷された紙、それらの情報が印刷されたパネル、あるいはそれらの情報を電気光学的に表示する表示部を備えたタブレット端末や表示装置などである。この掲示物１４は、機器ケース１の背面１ａから引き出されたトレイ部材１５の搭載部１６上に配置された状態で、押え部１７によって機器ケース１の背面１ａに押し付けられて配置されるように構成されている。
【００２０】
搭載部１６は、図６および図７に示すように、機器ケース１の背面１ａ側に位置する外側板部１６ａと、この外側板部１６ａの内端部から機器ケース１の前側に向けて突出した内側板部１６ｂと、を備えている。外側板部１６ａは、図４および図５に示すように、機器ケース１の左右方向における長さが、プリンタユニット３を除く機器ケース１の左右方向の長さとほぼ同じ長さに形成されている。
【００２１】
また、この外側板部１６ａは、図４および図５に示すように、機器ケース１の前後方向における長さが、補助表示器４の表示ケース１０の厚みつまり表示ケース１０における機器ケース１の前後方向の長さよりも少し長く形成されている。これにより、外側板部１６ａは、機器ケース１の左右方向における長さが機器ケース１の前後方向における長さよりも長い長方形の板状に形成されている。この外側板部１６ａの下面における両側には、ゴム足１６ｃが設けられている。
【００２２】
内側板部１６ｂは、図６および図７に示すように、外側板部１６ａの内端部における中間部に設けられている。この内側板部１６ｂは、機器ケース１の左右方向における長さが、外側板部１６ａの左右方向の長さのほぼ半分程度の長さに形成されている。また、この内側板部１６ｂは、機器ケース１の前後方向における長さが、機器ケース１の下部における前後方向の長さのほぼ半分程度の長さに形成されている。これにより、内側板部１６ｂは、ほぼ四角形の平板状に形成されている。
【００２３】
一方、押え部１７は、図６および図７に示すように、機器ケース１の背面１ａ側に位置する搭載部１６の外端部、つまり搭載部１６の外側板部１６ａの外端部に起立して設けられている。この押え部１７は、板状に形成され、機器ケース１の左右方向の長さが、搭載部１６の外側板部１６ａと同じ長さに形成されている。また、この押え部１７は、その上下方向の長さが、入力表示ユニット２のユニットケース５の厚みよりも短い長さで形成されている。
【００２４】
また、このトレイ部材１５は、図６および図７に示すように、搭載部１６が機器ケース１の下面に設けられた複数のガイド部材１８によって機器ケース１の前後方向にスライド可能に取り付けられるように構成されている。この場合、搭載部１６の内側板部１６ｂには、複数のガイド部材１８によってスライド可能にガイドされる複数のガイド孔２０が、機器ケース１の前後方向に沿って互いに平行する２列に設けられている。
【００２５】
これら複数のガイド孔２０それぞれは、図６および図７（ａ）に示すように、その下面における孔縁にガイド凹部２１が、トレイ部材１５のスライド方向に沿って設けられている。また、複数のガイド部材１８は、２列のガイド孔２０それぞれに２本ずつ設けられている。すなわち、これら複数のガイド部材１８のうち、１つのガイド孔２０に対応する２本のガイド部材１８は、その間隔がガイド孔２０の前後方向の長さのほぼ半分程度の長さに設定されている。
【００２６】
このため、複数のガイド孔２０は、図６に示すように、その前後方向の長さが、１つのガイド孔２０に対応する２本のガイド部材１８の間隔よりも、搭載部１６の外側板部１６ａにおける前後方向の長さ、つまりトレイ部材１５がスライドする長さだけ長く形成されている。また、複数のガイド部材１８それぞれは、図８（ｂ）に示すように、ガイド孔２０の縁部に位置するガイド凹部２１内にスライド可能に配置される頭部１８ａと、ガイド孔２０を通して機器ケース１の下面に固定されるねじ軸１８ｂと、を備えている。
【００２７】
すなわち、ガイド部材１８の頭部１８ａは、図８（ｂ）に示すように、その軸方向（上下方向）の長さ（高さ）が、ガイド凹部２１の深さとほぼ同じ長さ（高さ）に形成され、ガイド凹部２１からトレイ部材１５の下側に突出さないように構成されている。また、この頭部１８ａは、その外径がガイド孔２０の長手方向と直交する方向（幅方向）の長さよりも大きく、かつガイド凹部２１の幅方向の長さよりも小さく形成されている。
【００２８】
ガイド部材１８のねじ軸１８ｂは、図８（ｂ）に示すように、機器ケース１の下面に設けられたねじ孔１８ｃに螺着することにより、機器ケース１の下面に取り付けられている。このねじ軸１８ｂは、機器ケース１の下面から突出する軸方向（上下方向）の長さが、ガイド孔２０の深さと同じか、それよりも長く形成されている。また、このねじ軸１８ｂは、その外径がガイド孔２０の長手方向と直交する方向（幅方向）の長さとほぼ同じ大きさに形成されている。
【００２９】
これにより、複数のガイド部材１８それぞれは、図６〜図８に示すように、ねじ軸１８ｂがトレイ部材１５の搭載部１６に設けられたガイド孔２０を通して機器ケース１の下面のねじ孔１８ｃに螺着して固定され、この状態で頭部１８ａがガイド孔２０の縁部に位置するガイド凹部２１内に配置されるように構成されている。
【００３０】
このため、複数のガイド部材１８それぞれは、図６〜図８に示すように、ねじ軸１８ｂがガイド孔２０をガイドすると共に、頭部１８ａがガイド凹部２１を機器ケース１側に押し付けながらガイドすることにより、トレイ部材１５を機器ケース１の前後方向にガイドするように構成されている。
【００３１】
この場合、複数のガイド孔２０それぞれには、図６および図７に示すように、ガイド部材１８の頭部１８ａが挿脱可能に挿通する複数の着脱孔２２ａ、２２ｂが上下に貫通して設けられている。これら複数の着脱孔２２ａ、２２ｂそれぞれは、その内径がガイド部材１８の頭部１８ａの外径と同じか、それよりも少し大きく形成されている。
【００３２】
また、これら複数の着脱孔２２ａ、２２ｂのうち、２つの着脱孔２２ａは、図６および図７に示すように、機器ケース１の前側に位置する複数のガイド孔２０の各前端部（図７（ａ）では左端部）に設けられている。また、他の２つの着脱孔２２ｂは、複数のガイド孔２０の前後方向におけるほぼ中間部に設けられている。
【００３３】
この場合、ガイド孔２０の各前端部に位置する着脱孔２２ａとガイド孔２０の中間部に位置する着脱孔２２ｂとは、その両者間の距離が、複数のガイド部材１８の前後方向の間隔と同じ長さに設定されている。また、ガイド孔２０の中間部に位置する着脱孔２２ｂは、機器ケース１の背面１ａ側に位置するガイド孔２０の外端部からの距離が、複数のガイド部材１８の前後方向の間隔よりも短く設定されている。
【００３４】
これにより、複数のガイド部材１８は、図６および図７に示すように、トレイ部材１５が機器ケース１の背面１ａから最も引き出されたときに、複数のガイド部材１８の各頭部１８ａが複数のガイド孔２０の各着脱孔２２ａ、２２ｂ内に配置され、この状態で複数のガイド部材１８の各頭部１８ａが各着脱孔２２ａ、２２ｂを通して複数のガイド孔２０から抜け出すことにより、トレイ部材１５が取り外せるように構成されている。
【００３５】
また、複数のガイド部材１８は、図６および図７に示すように、その各頭部１８ａが複数のガイド孔２０の各着脱孔２２ａ、２２ｂ内に配置された状態で、トレイ部材１５の押え部１７が機器ケース１の背面１ａに向けて押し込まれた際に、複数のガイド部材１８の各頭部１８ａが複数のガイド孔２０の各着脱孔２２ａ、２２ｂから離脱して、複数のガイド孔２０の各ガイド凹部２１内に配置されることにより、トレイ部材１５が機器ケース１の下面から脱落しないように構成されている。
【００３６】
また、複数のガイド孔２０それぞれには、図６〜図８に示すように、複数のガイド部材１８の各ねじ軸１８ｂをスライド可能な状態で弾力的に挟む複数の弾性挟持部２３が設けられている。すなわち、これら複数の弾性挟持部２３は、複数のガイド孔２０における長手方向と直交する方向の各両側に位置するガイド凹部２１内に互いに対向して設けられたスリット孔２３ａを備えている。これにより、複数の弾性挟持部２３は、各スリット孔２３ａ間に位置するガイド孔２０の互いに対向する縁部が各スリット孔２３ａに向けて弾性変形するように構成されている。
【００３７】
この場合、複数の弾性挟持部２３それぞれは、図６〜図８（ａ）に示すように、ガイド孔２０の前後方向における前端部（図７（ａ）では左端部）に位置する２つの着脱孔２２ａの両側からトレイ部材１５の押え部１７側に向けて設けられている。また、これら複数の弾性挟持部２３それぞれは、その前後方向の長さがトレイ部材１５のスライド長さよりも短い長さで形成されている。これにより、複数の弾性挟持部２３は、複数のガイド部材１８の各ねじ軸１８ｂが複数のガイド孔２０内を相対的にスライドする際に、各ねじ軸１８ｂを両側から弾力的に挟むように構成されている。
【００３８】
さらに、これら複数のガイド孔２０のうち、機器ケース１の前側に位置するガイド孔２０の前端部（図８（ａ）では上端部）に位置する２つの着脱孔２２ａには、図６〜図８（ａ）に示すように、複数のガイド部材１８が各着脱孔２２ａ、２２ｂに到達する際に、トレイ部材１５にクリック感を付与するクリック部２４が設けられている。
【００３９】
すなわち、これら複数のクリック部２４は、図７および図８（ａ）に示すように、ガイド孔２０と着脱孔２２ａとが交差する箇所に互いに接近する方向に突出して設けられた弾性突起部である。これら複数のクリック部２４は、ガイド部材１８のねじ軸１８ｂが着脱孔２２に到達するときに、互いに弾性変形し、ガイド部材１８のねじ軸１８ｂが着脱孔２２に嵌合したときに、弾性復帰することにより、トレイ部材１５にクリック感を付与するように構成されている。
【００４０】
次に、この電子レジスタの作用について説明する。
まず、機器ケース１の下部にトレイ部材１５を取り付ける。このときには、図６に示すように、機器ケース１の下面に設けられた複数のガイド部材１８に、トレイ部材１５の搭載部１６に設けられた複数の着脱孔２２ａ、２２ｂを対応させる。この状態で、複数のガイド部材１８を搭載部１６の複数の着脱孔２２に相対的に挿入させる。
【００４１】
すると、複数のガイド部材１８の各頭部１８ａと各ねじ軸１８ｂとが搭載部１６の複数の着脱孔２２内に配置される。この状態で、トレイ部材１５の押え部１７を機器ケース１の背面１ａに向けて押し込む。すると、複数のガイド部材１８の各頭部１８ａが相対的にスライドして搭載部１６の複数のガイド孔２０の各ガイド凹部２１内に配置されると共に、複数のガイド部材１８の各ねじ軸１８ｂが相対的にスライドして複数のガイド孔２０内に配置される。
【００４２】
この状態では、複数のガイド部材１８の各頭部１８ａが複数のガイド孔２０の各着脱孔２２ａ、２２ｂから離脱して、複数のガイド孔２０の各ガイド凹部２１内に配置されていることにより、トレイ部材１５が機器ケース１の下面から脱落することがなく、機器ケース１の下面にスライド可能な状態で保持される。
【００４３】
次に、このような電子レジスタを使用する場合について説明する。
この場合には、機器ケース１に対する入力表示ユニット２のユニットケース５の傾きを調整すると共に、補助表示器４の高さおよび向きを調整する。
【００４４】
すなわち、ユニットケース５の傾きを調整する場合には、ユニットケース５の下面に設けられたヒンジ機構７の半円状の回転部８ａを機器ケース１の上面に設けられたヒンジ機構７の半円状の支持部８ｂ内で回転移動させて、機器ケース１の後部（図２では右側部）の競り上がりを調整して、入力表示ユニット２の入力表示パネル６をオペレータがタッチ操作し易い角度に傾ける。
【００４５】
また、補助表示器４の高さおよび向きを調整する場合には、補助表示器４の表示ケース１０を機器ケース１の表示収納部１２内から引き上げて機器ケース１の上方に配置させ、この状態で表示ケース１０をほぼ水平方向に回転させる。これにより、表示部１１に表示された情報を顧客が見やすい高さでかつ顧客から見やすい方向に向ける。
【００４６】
この状態で、オペレータが入力表示ユニット２の入力表示パネル６をタッチ操作して、顧客が購入する商品の情報を入力すると、その入力された情報が入力表示ユニット２の入力表示パネル６に表示されると共に、補助表示器４の表示部１１に表示される。これにより、入力表示ユニット２の入力表示パネル６に表示された情報をオペレータが視認することができると共に、補助表示器４の表示部１１に表示された情報を顧客が視認することができる。
【００４７】
そして、このように表示された情報を売上データとしてプリンタユニット３で印刷してレシートを発行する際には、オペレータが入力表示ユニット２の入力表示パネル６をタッチ操作して、プリンタユニット３のプリンタ部（図示せず）を駆動させる。すると、プリンタ部が記録紙（図示せず）に売上データを順次印刷し、この印刷された記録紙をプリンタカバー１３の記録紙排出口１３ａからレシートとして発行する。
【００４８】
ところで、このように入力表示ユニット２の入力表示パネル６に表示された情報をオペレータが視認すると共に、補助表示器４の表示部１１に表示された情報を顧客が視認する際には、機器ケース１の背面１ａに広告や宣伝、またはお知らせなどの情報が表示された掲示物１４を配置して、顧客に見せることができる。
【００４９】
このときには、図４および図５に示すように、トレイ部材１５の押え部１７を機器ケース１の背面１ａの下部から引き出し、トレイ部材１５の搭載部１６の外端板部１６ａを機器ケース１の背面１ａから突出させる。このときには、機器ケース１の下面に設けられた複数のガイド部材１８が、搭載部１６に設けられた複数のガイド孔２０をガイドするので、トレイ部材１５が円滑に引き出される。
【００５０】
すなわち、このときには、複数のガイド部材１８の各頭部１８ａが複数のガイド凹部２１内に配置されて複数のガイド孔２０の各縁部を機器ケース１の下面に押えながら、複数のガイド部材１８のねじ軸１８ｂが複数のガイド孔２０内を相対的に移動する。このため、トレイ部材１５がガタつくことがなく円滑に引き出される。
【００５１】
そして、機器ケース１の背面１ａから引き出されたトレイ部材１５の搭載部１６の外端板部１６ａ上に掲示物１４を配置し、この状態でトレイ部材１５の押え部１７を機器ケース１の背面１ａに向けて押し付ける。これにより、掲示物１４の下部がトレイ部材１５の押え部１７と機器ケース１の背面１ａとの間に挟まれ、この状態で掲示物１４が機器ケース１の背面１ａに立て掛けられて配置される。
【００５２】
このとき、掲示物１４が機器ケース１の背面１ａよりも大きい場合には、掲示物１４が補助表示器４の表示部１１を覆い隠すことがないように、掲示物１４を補助表示器４と反対側にずらした状態でトレイ部材１５上に配置すればよい。この場合、掲示物１４が機器ケース１の上方に突出した状態で配置されていても、入力表示ユニット２の傾きを調整する際に、掲示物１４が邪魔になることがない。
【００５３】
すなわち、入力表示ユニット２のユニットケース５は、ヒンジ機構７を中心に回転する際に、ユニットケース５の背面部が機器ケース１の背面１ａから後方に突出することがない。このため、ユニットケース５が上下方向に回転する際に、ユニットケース５の背面部が掲示物１４に当たることがないので、ユニットケース５を上下方向に回転させることができる。これにより、掲示物１４がユニットケース５の影響を受けることがなく、掲示物１４が機器ケース１の背面１ａに配置された状態を良好に維持させることができる。
【００５４】
また、トレイ部材１５を機器ケース１から取り外す場合には、トレイ部材１５を最大限に引き出す。このときには、機器ケース１の前側つまり機器ケース１の背面１ａと反対側に位置する複数のガイド部材１８の各ねじ軸１８ｂが、機器ケース１の前側に位置する複数のガイド孔２０の各着脱孔２２ａ側に設けられた複数の弾性挟持部２３によって弾力的に挟まれる。このため、トレイ部材１５の引出力が重くなる。
【００５５】
この状態で、更にトレイ部材１５を引き出すと、複数のガイド部材１８の各ねじ軸１８ｂが、複数のガイド孔２０の各着脱孔２２ａと複数のガイド孔２０との交差部に設けられたクリック部２４に当接する。このため、トレイ部材１５の引出力が更に重くなる。この状態で、トレイ部材１５を更に引き出すと、複数のガイド部材１８の各ねじ軸１８ｂが、クリック部２４を弾性変形させて乗り越える。これにより、トレイ部材１５にクリック感が付与される
【００５６】
このときに、トレイ部材１５にクリック感が付与されると、複数のガイド部材１８の各ねじ軸１８ｂが複数のガイド孔２０の各着脱孔２２ａに嵌合した状態であることが分かる。このため、複数のガイド部材１８が複数のガイド孔２０の各着脱孔２２ａ内に配置されることにより、これら複数のガイド部材１８の各頭部１８ａを複数のガイド孔２０の各着脱孔２２ａ内から抜き出すことができ、トレイ部材１５を機器ケース１の下面から取り外すことができる。
【００５７】
このように、この電子レジスタによれば、操作部である入力表示ユニット２が設けられた機器ケース１と、この機器ケース１にスライド可能に設けられ、入力表示ユニット２の操作側と反対側に位置する機器ケース１の背面１ａから出没可能に突出して掲示物１４を掲示するためのトレイ部材１５と、を備えていることにより、掲示物１４を簡単に掲示することができ、これにより広告や宣伝、お知らせなどの情報を顧客に容易にかつ良好に知らせることができる。
【００５８】
この場合、入力表示ユニット２は、ユニットケース５に入力表示パネル６を設けたものであり、顧客が購入する商品の情報をオペレータが入力表示パネル６のタッチ操作によって入力する構成であるから、オペレータが入力表示パネル６に表示された情報を見ながら、入力表示パネル６をタッチ操作して、顧客が購入する商品の情報を入力することができると共に、その入力された情報を入力表示パネル６に表示することができる。
【００５９】
また、この入力表示ユニット２は、機器ケース１上にヒンジ機構７によって上下方向に回転可能に取り付けられていることにより、ヒンジ機構７によって入力表示ユニット２を上下方向に回転させて、機器ケース１に対する入力表示ユニット２の傾きを調整することができ、これにより入力表示パネル６をオペレータが操作しやすることができると共に、入力表示パネル６に表示された情報を見やすことができる。
【００６０】
すなわち、ヒンジ機構７は、ユニットケース５の下面に半円状に突出して設けられた回転部８ａと、機器ケース１上に半円状に窪んで設けられて、ユニットケース５の回転部８ａが回転可能に配置される支持部８ｂと、を備えていることにより、ヒンジ機構７の半円状の回転部８ａをヒンジ機構７の半円状の支持部８ｂで支持した状態で良好に回転移動させることができ、これにより機器ケース１に対する入力表示ユニット２の傾きを簡単にかつ良好に調整することができる。
【００６１】
この場合、掲示物１４が機器ケース１の背面１ａよりも大きく、機器ケース１の上方に突出した状態で配置されていても、入力表示ユニット２の傾きを調整する際に、ユニットケース５の背面部が機器ケース１の背面１ａから後方に突出することがない。このため、ユニットケース５が上下方向に回転する際に、ユニットケース５の背面部が掲示物１４に当たることがないので、掲示物１４が邪魔にならず、掲示物１４が機器ケース１の背面１ａに配置された状態を良好に維持させることができる。
【００６２】
また、この電子レジスタでは、トレイ部材１５が、機器ケース１の下面に配置される搭載部１６と、機器ケース１の背面１ａに接離可能に対応する押え部１７とを備え、搭載部１６が機器ケース１の下面に設けられた複数のガイド部材１８によってスライド可能に取り付けられていることにより、トレイ部材１５を円滑にかつ良好にスライドさせることができる。
【００６３】
すなわち、トレイ部材１５は、搭載部１６に複数のガイド部材１８によってスライド可能にガイドされる複数のガイド孔２０が、機器ケース１の前後方向に沿って設けられていることにより、トレイ部材１５を機器ケース１の前後方向にスライドさせる際に、複数のガイド部材１８が複数のガイド孔２０をガイドすることができるので、トレイ部材１５を円滑にかつ確実にスライドさせることができる。
【００６４】
この場合、複数のガイド孔２０それぞれは、その下面における孔縁にガイド凹部２１がスライド方向に沿って設けられ、複数のガイド部材１８それぞれは、ガイド凹部２１内にスライド可能に配置される頭部１８ａと、ガイド孔２０を通して機器ケース１の下面に固定されるねじ軸１８ｂと、を備えていることにより、頭部１８ａによってガイド凹部２１をガイドすることができると共に、ねじ軸１８ｂによってガイド孔２０をガイドすることができ、トレイ部材１５を円滑にスライドさせることができる。
【００６５】
すなわち、複数のガイド部材１８は、頭部１８ａがトレイ部材１５の下側に突出さないように、頭部１８ａをガイド凹部２１内に配置させることができると共に、この頭部１８ａによってガイド孔２０の縁部を機器ケース１の下面に押えることができる。このため、トレイ部材１５をスライドさせる際に、トレイ部材１５がガタつくことがなく、円滑にスライドさせることができると共に、トレイ部材１５が機器ケース１の下面から脱落しないようにすることができる。
【００６６】
また、このトレイ部材１５では、複数のガイド孔２０それぞれに複数のガイド部材１８の各頭部１８ａが挿脱可能に挿通する着脱孔２２ａ、２２ｂが上下に貫通して設けられていることにより、複数のガイド部材１８の各頭部１８ａを複数のガイド孔２０の各着脱孔２２ａ、２２ｂに対応させて各着脱孔２２ａ、２２ｂから抜き出すことができ、これにより工具を用いずにトレイ部材１５を機器ケース１の下面から簡単にかつ容易に取り外すことができる。
【００６７】
すなわち、複数の着脱孔２２ａ、２２ｂのうち、２つの着脱孔２２ａは、機器ケース１の前側に位置する複数のガイド孔２０の各前端部に設けられ、他の２つの着脱孔２２ｂは、複数のガイド孔２０の前後方向におけるほぼ中間部で、ガイド孔２０の各前端部に位置する着脱孔２２ａからの距離が、複数のガイド部材１８の前後方向の間隔と同じ長さに設定されているので、複数のガイド部材１８の各頭部１８ａを複数のガイド孔２０の各着脱孔２２ａ、２２ｂに対応させることができる。
【００６８】
これにより、トレイ部材１５は、機器ケース１の背面１ａから最も引き出されたときに、複数のガイド部材１８の各頭部１８ａを複数のガイド孔２０の各着脱孔２２ａ、２２ｂ内に配置し、この状態で複数のガイド部材１８の各頭部１８ａを各着脱孔２２ａ、２２ｂと複数のガイド孔２０とから抜き出すことができるので、トレイ部材１５を容易に取り外すことができる。
【００６９】
また、このトレイ部材１５では、複数のガイド部材１８が複数の着脱孔２２ａ、２２ｂに接近する際に、複数のガイド孔２０それぞれにガイド部材１８をスライド可能な状態で弾力的に挟む弾性挟持部２３が設けられていることにより、トレイ部材１５をスライドさせる際に、弾性挟持部２３によってガイド部材１８を弾力的に挟むことができ、これによりトレイ部材１５のスライド動作を重くしてトレイ部材１５が不用意にスライドしないようにすることができる。
【００７０】
この場合、弾性挟持部２３は、複数のガイド孔２０における長手方向と直交する方向の各両側に位置するガイド凹部２１内にそれぞれスリット孔２３ａを互いに対向させて設けることにより、これらスリット孔２３ａ間に位置するガイド孔２０の互いに対向する縁部を各スリット孔２３ａに向けて弾性変形させることができ、これによりガイド部材１８のねじ軸１８ｂを確実にかつ良好に弾力的に挟むことができる。
【００７１】
また、この弾性挟持部２３は、ガイド孔２０の前後方向における内端部（図７（ａ）では左端部）に位置する２つの着脱孔２２ａの両側からトレイ部材１５の押え部１７側に向けて設けられていることにより、トレイ部材１５を最大限に引き出して、トレイ部材１５を機器ケース１から取り外す際に、機器ケース１の前側に位置するガイド部材１８のねじ軸１８ｂを弾性挟持部２３によって弾力的に挟んで、トレイ部材１５の引出力を重くすることができ、これによりガイド部材１８が不用意に機器ケース１の前側に位置する着脱孔２２ａに嵌合しないようにすることができる。
【００７２】
さらに、これら複数のガイド孔２０のうち、機器ケース１の前側に位置するガイド孔２０の前端部に位置する２つの着脱孔２２ａには、複数のガイド部材１８が各着脱孔２２ａ、２２ｂに到達する際に、トレイ部材１５にクリック感を付与するクリック部２４が設けられていることにより、ガイド部材１８のねじ軸１８ｂが着脱孔２２ａ、２２ｂに到達するときに、トレイ部材１５にクリック感を付与することができるので、ガイド部材１８のねじ軸１８ｂが着脱孔２２ａに嵌合した状態であることを判断することができ、これにより容易にトレイ部材１５を取り外すことができる。
【００７３】
すなわち、クリック部２４は、ガイド孔２０と着脱孔２２ａとが交差する箇所に互いに接近する方向に突出して設けられた弾性突起部であり、ガイド部材１８のねじ軸１８ｂが着脱孔２２ａに到達するときに、互いに弾性変形し、ガイド部材１８のねじ軸１８ｂが着脱孔２２ａに嵌合したときに、弾性復帰することにより、トレイ部材１５にクリック感を確実にかつ良好に付与することができ、これによりガイド部材１８のねじ軸１８ｂが着脱孔２２ａに嵌合した状態であることを良好に判断することができる。
【００７４】
以上、この発明のいくつかの実施形態について説明したが、この発明は、これに限られるものではなく、特許請求の範囲に記載された発明とその均等の範囲を含むものである。
以下に、本願の特許請求の範囲に記載された発明を付記する。
【００７５】
（付記）
請求項１に記載の発明は、操作部が設けられた機器本体と、前記機器本体にスライド可能に設けられ、前記操作部の操作側と反対側に位置する前記機器本体の背面から出没可能に突出して掲示物を掲示するためのトレイ部材と、を備えていることを特徴とする電子機器である。
【００７６】
請求項２に記載の発明は、請求項１に記載の電子機器において、前記操作部は入力表示部であることを特徴とする電子機器である。
【００７７】
請求項３に記載の発明は、請求項１または請求項２に記載の電子機器において、前記操作部は、前記機器本体上にヒンジ機構によって上下方向に回転可能に取り付けられていることを特徴とする電子機器である。
【００７８】
請求項４に記載の発明は、請求項１〜請求項３のいずれかに記載の電子機器において、前記トレイ部材は、前記機器本体の下面に配置される搭載部と、前記機器本体の前記背面に接離可能に対応する押え部とを備え、前記搭載部が前記機器本体の前記下面に設けられた複数のガイド部材によってスライド可能に取り付けられていることを特徴とする電子機器である。
【００７９】
請求項５に記載の発明は、請求項４に記載の電子機器において、前記トレイ部材の前記搭載部には、前記複数のガイド部材によってスライド可能にガイドされる複数のガイド孔が、前記機器本体の前後方向に沿って設けられていることを特徴とする電子機器である。
【００８０】
請求項６に記載の発明は、請求項５に記載の電子機器において、前記複数のガイド孔それぞれは、その下面における孔縁にガイド凹部がスライド方向に沿って設けられ、前記複数のガイド部材それぞれは、前記ガイド凹部内にスライド可能に配置される頭部と、前記ガイド孔を通して前記機器本体の下面に固定される軸部と、を備えていることを特徴とする電子機器である。
【００８１】
請求項７に記載の発明は、請求項６に記載の電子機器において、前記複数のガイド孔それぞれの所定箇所には、前記ガイド部材の前記頭部が挿脱可能に挿通する着脱孔が上下に貫通して設けられていることを特徴とする電子機器である。
【００８２】
請求項８に記載の発明は、請求項５〜請求項７のいずれかに記載の電子機器において、前記複数のガイド孔それぞれには、前記ガイド部材が前記着脱孔に接近する際に、前記ガイド部材をスライド可能な状態で弾力的に挟む弾性挟持部が設けられていることを特徴とする電子機器である。
【００８３】
請求項９に記載の発明は、請求項７および請求項８に記載の電子機器において、前記複数のガイド孔それぞれには、前記ガイド部材が前記着脱孔に到達する際に、前記トレイ部材にクリック感を付与するクリック部が設けられていることを特徴とする電子機器である。
【符号の説明】
【００８４】
１  機器ケース
２  入力表示ユニット
３  プリンタユニット
４  補助表示器
５  ユニットケース
６  入力表示パネル
７  ヒンジ機構
８ａ  回転部
８ｂ  支持部
１４  掲示物
１５  トレイ部材
１６  搭載部
１７  押え部
１８  ガイド部材
１８ａ  頭部
１８ｂ  ねじ軸
２０  ガイド孔
２１  ガイド凹部
２２ａ、２２ｂ  着脱孔
２３  弾性挟持部
２４  クリック部
【図１】
2019016815.tif 000003
【図２】
2019016815.tif 000004
【図３】
2019016815.tif 000005
【図４】
2019016815.tif 000006
【図５】
2019016815.tif 000007
【図６】
2019016815.tif 000008
【図７】
2019016815.tif 000009
【図８】
2019016815.tif 000010
【手続補正書】
【提出日】平成30年11月7日(2018.11.7)
【手続補正２】
【補正対象書類名】明細書
【補正対象項目名】０００１
【補正方法】変更
【補正の内容】
【０００１】
この発明は、スライド機構および電子機器に関する。
【手続補正３】
【補正対象書類名】明細書
【補正対象項目名】０００６
【補正方法】変更
【補正の内容】
【０００６】
この発明が解決しようとする課題は、例えば広告や宣伝、お知らせなどの掲示物を掲示するためのトレイ部材を準備または収納しやすくできるようにすることである。
【手続補正４】
【補正対象書類名】明細書
【補正対象項目名】０００７
【補正方法】変更
【補正の内容】
【０００７】
この発明に係るスライド機構は、所定の被取付面にトレイ部材をスライド可能に取り付けるためのスライド機構であって、前記トレイ部材は、前記被取付面に対向するように配置される取付面を有し、前記取付面は、前記トレイ部材のスライド方向に対応させた方向に延伸するように、且つ、前記被取付面に立設されたガイド部材が前記延伸する方向に沿って当該取付面に対して相対移動可能に係合するように、設けられたガイド孔と、前記ガイド孔の両脇に弾性挟持部が形成されるように、且つ、前記ガイド孔に沿って延伸するように、設けられた一対のスリット孔と、を有し、前記弾性挟持部は、前記ガイド孔側に張り出した突起部が設けられている、ことを特徴とする。
また、この発明に係る電子機器は、トレイ部材が所定の被取付面にスライド可能に取り付けられた電子機器であって、前記トレイ部材は、前記被取付面に対向するように配置される取付面を有し、前記取付面は、前記トレイ部材のスライド方向に対応させた方向に延伸するように、且つ、前記被取付面に立設されたガイド部材が前記延伸する方向に沿って当該取付面に対して相対移動可能に係合するように、設けられたガイド孔と、前記ガイド孔の両脇に弾性挟持部が形成されるように、且つ、前記ガイド孔に沿って延伸するように、設けられた一対のスリット孔と、を有し、前記弾性挟持部は、前記ガイド孔側に張り出した突起部が設けられている、ことを特徴とする。
【手続補正５】
【補正対象書類名】明細書
【補正対象項目名】０００８
【補正方法】変更
【補正の内容】
【０００８】
この発明によれば、例えば広告や宣伝、お知らせなどの掲示物を掲示するためのトレイ部材を準備または収納しやすくできる。
【手続補正６】
【補正対象書類名】特許請求の範囲
【補正対象項目名】全文
【補正方法】変更
【補正の内容】
【特許請求の範囲】
【請求項１】
所定の被取付面にトレイ部材をスライド可能に取り付けるためのスライド機構であって、
前記トレイ部材は、前記被取付面に対向するように配置される取付面を有し、
前記取付面は、
前記トレイ部材のスライド方向に対応させた方向に延伸するように、且つ、前記被取付面に立設されたガイド部材が前記延伸する方向に沿って当該取付面に対して相対移動可能に係合するように、設けられたガイド孔と、
前記ガイド孔の両脇に弾性挟持部が形成されるように、且つ、前記ガイド孔に沿って延伸するように、設けられた一対のスリット孔と、
を有し、
前記弾性挟持部は、前記ガイド孔側に張り出した突起部が設けられている、
ことを特徴とするスライド機構。
【請求項２】
前記弾性挟持部は、前記取付面の背面側において凹状に形成されている、
ことを特徴とする請求項１に記載のスライド機構。
【請求項３】
前記一対のスリット孔は、前記延伸する方向において前記トレイ部材の収納側に偏った位置に設けられている、
ことを特徴とする請求項１または２に記載のスライド機構。
【請求項４】
前記ガイド孔の幅よりも直径が大きく形成され前記ガイド部材を前記トレイ部材から着脱させるための着脱孔が、前記ガイド孔と重なる位置に設けられている、
ことを特徴とする請求項１から３の何れかに記載のスライド機構。
【請求項５】
前記一対のスリット孔の間の幅が前記着脱孔の直径と等しく形成されている、
ことを特徴とする請求項４に記載のスライド機構。
【請求項６】
前記着脱孔は、前記ガイド孔の両端のうちの一方の端部と前記両端の間の所定の位置とに設けられ、
前記一対のスリット孔は、前記ガイド孔に沿う方向において、前記一方の端部と前記所定の位置との間に位置するように、設けられている、
ことを特徴とする請求項４または５に記載のスライド機構。
【請求項７】
前記突起部は、前記一方の端部側に設けられた前記着脱孔の所定の端に設けられている、
ことを特徴とする請求項６に記載のスライド機構。
【請求項８】
トレイ部材が所定の被取付面にスライド可能に取り付けられた電子機器であって、
前記トレイ部材は、前記被取付面に対向するように配置される取付面を有し、
前記取付面は、
前記トレイ部材のスライド方向に対応させた方向に延伸するように、且つ、前記被取付面に立設されたガイド部材が前記延伸する方向に沿って当該取付面に対して相対移動可能に係合するように、設けられたガイド孔と、
前記ガイド孔の両脇に弾性挟持部が形成されるように、且つ、前記ガイド孔に沿って延伸するように、設けられた一対のスリット孔と、
を有し、
前記弾性挟持部は、前記ガイド孔側に張り出した突起部が設けられている、
ことを特徴とする電子機器。